(57)【要約】      （修正有）【課題】箸に容易に装着可能であり、しかも、箸載せとしての機能も備えた箸置きを、紙片を加工することによって容易に製造可能とした箸置きを提供する。【解決手段】紙片等のシート材を折り曲げることによって箸の差し入れ空間を備えた外郭３を形成し、その外郭３の上面を凹ませて箸載せ部５としたことを特徴とする箸置きであって、外郭３の一端を貫通してその内部に箸を差し入れる構成とし、箸の挿入方向の左右のシート辺を下側に折り曲げて立体的な箸の差し入れ空間を形成し、箸載せ部５の凹みに相当する部位の折り曲げラインを外側に広がった状態とした。【選択図】図１
2009006060.tif 000002
【特許請求の範囲】
【請求項１】
紙片等のシート材を折り曲げることによって箸の差し入れ空間を備えた外郭を形成し、その外郭の上面を凹ませて箸載せ部としたことを特徴とする箸置き。
【請求項２】
外郭の一端を貫通してその内部に箸を差し入れる構成とし、
箸の挿入方向の左右のシート辺を下側に折り曲げて立体的な箸の差し入れ空間を形成し、
箸載せ部の凹みに相当する部位の折り曲げラインを外側に広がった状態としたことを特徴とする請求項１記載の箸置き。
【請求項３】
シート材を閉じ合わせて下紙と上紙と対合させ、その対合した上紙を立体的に折り曲げて箸の差し入れ空間を形成し、
下紙の一端の係止片を上紙に折り返して挿入口に係止し、
挿入口から差し入れられる箸が前記係止片を折り曲げ方向に押圧して外郭に挿入される構成とした請求項１又は２記載の箸置き。
【請求項４】
外郭の先端に箸の突出孔を形成し、差し入れ空間に挿入した箸の先端が外郭を貫通して突出される構成とした請求項１〜３いずれか記載の箸置き。
【発明の詳細な説明】
【技術分野】
【０００１】
本発明は箸置き関し、特に、箸に容易に装着可能であり、しかも、箸載せとしての機能も備えた箸置きを、紙片を加工することによって容易に製造可能とした箸置きに関する。
【背景技術】
【０００２】
一般的に、飲食店で提供される割り箸は使用後に廃棄処分とされるが、料亭等においては割り箸にも高級な素材が使用され、このような高級素材の箸を一回の使用のみで廃棄することは資源の有効利用の観点から問題である。
そこで、箸を使い捨てにするのではなく、繰り返し利用することが求められるが、繰り返し利用する箸を提供する場合には箸袋や箸帯などの飾り付け、または箸置きが必要となる。
そして、このような箸置きに関する技術として、特開平８−３８３３１号公報、特開２００４−９７２３７号公報記載の技術が知られている。
【特許文献１】特開平８−３８３３１号公報
【特許文献２】特開２００４−９７２３７号公報
【発明の開示】
【発明が解決しようとする課題】
【０００３】
しかし、前記従来の箸置きは陶器製品、ガラス、木製等の素材によって構成されているため、飲食店等で料理を提供する際には、箸袋を用意したり、箸置き上に箸をセッティングする作業が必要となり、手間が掛かるという問題がある。
また、一般的な箸袋に収容した状態で提供すると、箸載せとして使用することができない。
本発明は係る従来の問題点を解決するためになされたものであって、その目的とするところは、箸に容易に装着可能であり、しかも、箸載せとしての機能も備えた箸置きを、紙片を加工することによって容易に製造可能とした箸置きを提供することにある。
【課題を解決するための手段】
【０００４】
前記目的を達成するための手段として、請求項１記載の箸置きでは、紙片等のシート材を折り曲げることによって箸の差し入れ空間を備えた外郭を形成し、その外郭の上面を凹ませて箸載せ部とした。
【０００５】
請求項２記載の箸置きでは、請求項１記載の箸置において、外郭の一端を貫通してその内部に箸を差し入れる構成とし、箸の挿入方向の左右のシート辺を下側に折り曲げて立体的な箸の差し入れ空間を形成し、箸載せ部の凹みに相当する部位の折り曲げラインを外側に広がった状態としたことを特徴とする。
【０００６】
請求項３記載の箸置きでは、請求項１又は２記載の箸置きにおいて、シート材を閉じ合わせて下紙と上紙と対合させ、その対合した上紙を立体的に折り曲げて箸の差し入れ空間を形成し、下紙の一端の係止片を上紙に折り返して挿入口に係止し、挿入口から差し入れられる箸が前記係止片を折り曲げ方向に押圧して外郭に挿入される構成とした。
【０００７】
請求項４記載の箸置きでは、請求項１〜３いずれか記載の箸置きにおいて、外郭の先端に箸の突出孔を形成し、差し入れ空間に挿入した箸の先端が外郭を貫通して突出される構成とした。
【発明の効果】
【０００８】
前記構成を採用したことにより、本発明では次の効果を有する。
請求項１記載の箸置きにおいては、紙片等のシート材を折り曲げて形成するので、材料の入手及び加工が容易である。
また、箸の差し入れ空間を備えた外郭を形成し、その外郭の上面を凹ませて箸載せ部としたので、箸入れと箸載せとしての両方の機能を有する。
【０００９】
請求項２記載の箸置きにおいては、外郭の一端を貫通してその内部に箸を差し入れる構成としたので、シート材に切り込みを形成するのみで箸の挿入口を形成することができる。
また、箸の挿入方向の左右のシート辺を下側に折り曲げて立体的な箸の差し入れ空間を形成し、箸載せ部の凹みに相当する部位の折り曲げラインを外側に広がった状態としたので、この折り曲げラインに沿って箸載せ部（凹部）が形成されることになる。
【００１０】
請求項３記載の箸置きにおいては、シート材を閉じ合わせて下紙と上紙と対合させ、その対合した上紙を立体的に折り曲げて箸の差し入れ空間を形成したので、下紙と上紙によって挿入した箸の先端部が確実に被覆されて衛生的である。
また、下紙の一端の係止片を上紙に折り返して挿入口に係止し、挿入口から差し入れられる箸が前記係止片を折り曲げ方向に押圧して外郭に挿入される構成としたので、下紙に支えられて上紙の形状が保持される。
【００１１】
請求項４記載の箸置においては、外郭の先端に箸の突出孔を形成し、差し入れ空間に挿入した箸の先端が外郭を貫通して突出される構成としたので、挿入される箸が箸置きの骨格としての機能も有して安定的に保持される。
【発明を実施するための最良の形態】
【００１２】
以下、図面に基づいて本発明の箸置きを実現する最良の形態を説明する。
【実施例１】
【００１３】
第１実施例に係る箸置きは、図１〜６に示すように下面に敷設された下紙１と、その上側に立体的に折り曲げられた上紙２から構成され、この下紙１と上紙２によって箸置きの外郭３が構成され、この外郭３の一端を貫通して挿入された箸４が、内部の空間に収容保持される構成となっている。そして、外郭３の上面は凹状に盛り上がった箸載せ部５が形成されている。
使用する紙片の種類は特に限定されるものではないが、手作業による折り曲げ加工が容易であり、そして箸置きとしての機能を維持できる強度を備えた素材を使用する。
【００１４】
この箸置きは、図７に示す展開図の紙片を折り曲げて形成されるのであるが、この紙片は、係止片６を備えた長方形の下紙１と、左右辺が湾曲して切り欠かれた上紙２とによって構成され、下紙と上紙が折り曲げラインＲを介して一体形成されている。
折り曲げラインＲに沿って上紙を１８０度折り曲げ、下紙１の基部中央に形成された係止片６を上紙の挿入口７に係止すると、下紙１と上紙２が閉じ合わされる。
上紙２の全長ｈ２は下紙１の全長ｈ１（係止片を除く）よりも数ｍｍ長く形成され、この数ｍｍ長いことにより上紙２が屈曲して空間を形成する幅が確保されることになる。
【００１５】
上紙２の先部には箸の挿入口７である切り込みが形成されている。この切り込みは先端辺８を残してＵ字状に切開したものであり、この切り込み部を折り曲げると先端辺８と切り込みの間に生じる隙間によって箸の挿入口７が形成される。
この挿入口７の形状は一組の箸（２本）が通過できる程度の大きさを有し、適用する箸の太さに合わせて適宜設定されるが、挿入した箸の外周に圧接する程度の形状・大きさとすることにより、箸置きを箸に装着した際には箸置きが箸の外周に圧接保持される。
【００１６】
上紙の左右辺は湾曲して切り欠かれているが、この左右辺のさらに内側には折り込みラインＴが形成されている。
この折り込みラインＴは下側に折り曲げると、折り曲げられた左右辺が立面となって中央部分（箸の挿入ライン）を台座状に隆起させ、箸の挿入空間が形成される。
前記折り込みラインＴは、上紙の基部両端から内側へ湾曲して入り込んだ基部ラインＬと、その基部ラインから箸の挿入ラインに沿って先方に進行する中間ラインＭと、その中間ラインＮから再び湾曲して上紙の先部両端へ広がる先端ラインＬから構成されている。
【００１７】
また、平面視における中間ラインの中央は両側に広がり、拡幅部Ｆを形成している。
この拡幅部Ｆが形成されていることにより、左右辺を下側に折り曲げると、折り込みラインが拡幅部Ｆを最下点として降下するラインが形成される。そのため、図６に示す箸載せ部５（高低差Ｋ）が形成されることになる。この高低差Ｋは、左右辺を下側に折り曲げることによって、折り込みラインＴが立体的に上下するラインとして機能することによって形成されるものである。
拡幅部Ｆは拡幅比を大きくすることにより、ラインの勾配・凹みの高低差を大きくすることができる。そして、これらの屈曲ラインは曲線を連続させる他、直線を屈曲させて形成しても同一の作用効果となる。
本実施例では左右の折り込みラインＴはそれぞれ対称とされ、図中の上下の形状も対称とされているが、これらラインの形状は中間部に凹部を形成する構成であれば他のラインを採用することもできる。
【００１８】
次に、第１実施例に係る箸置きの組み立て方法及び作用を説明する。
予め、裁断機等により図７の紙片を型抜きによって形成する。このとき、挿入口７の切り込みを同時に形成し、折り曲げラインＲ及び折り込みラインＴは折り曲げ可能となるように加工を施す。
上紙２を１８０度折り曲げて下紙１と重ね合わせ、係止片６を挿入口７へ折り込んで係止する。
この時、上紙の全長（ｈ１）は下紙の全長（ｈ２）よりも長いので、上紙は盛り上がって湾曲することになる。この盛り上がりによる応力が折り込みラインＴに作用して、折り込みラインＴが自然に下側に折り込まれ、台座状の外郭が形成される。
一方、折り込みラインＴには拡幅部Ｆが形成されているので、このラインに沿って傾斜が形成され外郭上面に箸載せ部５（凹部）が形成されることになる。
箸の先を挿入口７に差し込むと、係止片６が箸によって上から押圧されて箸置きの形状が安定的に維持される。
係止片６には元の直状に戻ろうとする反発力が働くが、この反発力により箸４が挿入口７に挟まれて確実に装着される。
箸４を使用した後は図９（第２実施例参照）に示すように、箸載せとして使用可能である。
下紙１と上紙２の折り曲げラインＲにミシン目を形成して切り離し可能とし、使用後はこの部分を切り離して、下紙を宣伝、名刺等として使用することもできる。
【実施例２】
【００１９】
次に、第２実施例に係る箸置きを説明する。
尚、本実施例の説明において、前記実施例と同一の符号については同一の構成要素を示す。
前記第１実施例においては、箸４の先端が外郭３に収容される構成としたが、第２実施例の箸置きは、図８に示すように箸の先端が外郭３を貫通した構成である。
前記第１実施例と同一の挿入口７から差し入れられた箸４は、その先に形成された突出口９から突出している。
本実施例の紙片は図７と同一であり、突出口９に相当する部位に挿入口７と同一の切り込みを形成したものである。
本実施例では、箸が外郭の２点を通過するために、外郭を支える骨格としても機能し、安定的に箸に装着される。
箸を使用した後は図９に示すように、箸載せとして使用可能である。
その他の作用については、前記第１実施例と同様である。
【００２０】
以上、実施例を説明したが、本発明の具体的な構成は前記実施例に限定されるものではなく、発明の要旨を逸脱しない範囲の設計変更等があっても本発明に含まれる。
例えば、前記実施例では下紙を備える構成としたが、図８において下紙を備えずに、上紙のみで箸の挿入空間及び箸載せ部５（凹部）を構成する場合であっても本発明に含まれる。
【図面の簡単な説明】
【００２１】
【図１】第１実施例に係る箸置きの斜視図である。
【図２】第１実施例に係る箸置きの平面図である。
【図３】第１実施例に係る箸置きの底面図である。
【図４】第１実施例に係る箸置きの正面図である。
【図５】第１実施例に係る箸置きの背面図である。
【図６】第１実施例に係る箸置きの側面図である。
【図７】第１実施例に係る箸置きの展開図である。
【図８】第２実施例に係る箸置きの斜視図である。
【図９】第２実施例に係る箸置きの使用状態を示す説明図である。
【符号の説明】
【００２２】
１  下紙
２  上紙
３  外郭
４  箸
５  箸載せ部
６  係止片
７  挿入口
８  先端辺
９  突出口
Ｆ  拡幅部
Ｌ  基部ライン
Ｍ  中間ライン
Ｎ  先端ライン
Ｒ  折り曲げライン
Ｔ  折り込みライン
【図１】
2009006060.tif 000003
【図２】
2009006060.tif 000004
【図３】
2009006060.tif 000005
【図４】
2009006060.tif 000006
【図５】
2009006060.tif 000007
【図６】
2009006060.tif 000008
【図７】
2009006060.tif 000009
【図８】
2009006060.tif 000010
【図９】
2009006060.tif 000011